(57)【要約】【課題】  日常生活における生活情報（例えば、コンサートチケット、駐車場代、本代等）において、必要日を確認できると共に、トラブルのない生活を過ごすための生活情報カレンダーを提供する。【解決手段】  １月から１２月まで表示してなる１２枚のカレンダー本体の１日から３１日の日付部を袋状に形成すると共に、カレンダー本体の所要位置に生活情報を入れる袋状に形成した情報部を設けてなることを特徴とする生活情報カレンダー。【選択図】  図１
0003117008.tif 000002
【実用新案登録請求の範囲】
【請求項１】
１月から１２月まで表示してなる１２枚のカレンダー本体の１日から３１日の日付部を袋状に形成すると共に、カレンダー本体の所要位置に生活情報を入れる袋状に形成した情報部を設けてなることを特徴とする生活情報カレンダー。
【請求項２】
カレンダー本体、日付部、情報部を紙で形成してなることを特徴とする請求項１記載の生活情報カレンダー。
【請求項３】
１枚のカレンダー本体に、１から１２の月を表示する月表示部を着脱自在に設け、１から３１の日を表示する日表示部を、袋状に形成してなる日付部に設けると共に、カレンダー本体の所要位置に生活情報を入れる袋状に形成した情報部を設けてなることを特徴とする生活情報カレンダー。
【請求項４】
カレンダー本体、月表示部、日表示部、日付部、情報部を色付あるいは透明な自己粘着性樹脂で形成してなることを特徴とする請求項３記載の生活情報カレンダー。
【考案の詳細な説明】
【技術分野】
【０００１】  本考案は、生活情報（例えば、飲み薬、コンサートチケット、駐車場代等）をカレンダーの日付部等に入れ、何をすべきかを知らせることができる生活情報カレンダーに関するものである。
【背景技術】
【０００２】  従来の技術として、日付欄内に朝・昼・夕等の薬の服用時間帯の表示を有するものとしてあり、また各服用時間帯の表示部分に薬袋を着脱可能に取り付けることができるようにしたものがある。（特許文献１参照）【０００３】  また、別の従来技術として、従来のカレンダーに無い新しい機能を付加すること。今日の生活者は日々の経済活動において発生する領収書等の小紙片をきちんと収納・保管するための、適当な収納保管具を求める潜在的な要望が存在する。カレンダーの年月日表示部を斯様な小紙片の収納を可能な袋状にし、この使用・置き場所、保持・収納、郵配送等を総合的に考慮し考案設計する。（特許文献２参照）
【特許文献１】  特開２００３−３９８５３号公報
【特許文献２】  実用新案登録第３０９８８５９号公報
【考案の開示】
【考案が解決しようとする課題】
【０００４】  上記前者の薬服用カレンダーにおいては、単に薬の服用を朝昼夕の３回に分けて表示してなるもので、他の生活情報等に使用できないものである。【０００５】  上記後者の領収書類収納機能付カレンダーにおいては、箱形状物により構成されるもので、全体的にかさばり、使用しにくいものである。【０００６】  本考案は、上記の構成が有していた問題点を解決するもので、日常生活における生活情報（例えば、コンサートチケット、駐車場代、本代等）において、必要日を確認できると共に、トラブルのない生活を過ごすための生活情報カレンダーを提供するものである。
【課題を解決するための手段】
【０００７】  本考案は、上記目的を達成するための手段として、１月から１２月まで表示してなる１２枚のカレンダー本体の１日から３１日の日付部を袋状に形成すると共に、カレンダー本体の所要位置に生活情報を入れる袋状に形成した情報部を設けてなる。
また、カレンダー本体、日付部、情報部を紙で形成してなる。
さらに、１枚のカレンダー本体に、１から１２の月を表示する月表示部を着脱自在に設け、１から３１の日を表示する日表示部を、袋状に形成してなる日付部に着脱自在に設けると共に、カレンダー本体の所要位置に生活情報を入れる袋状に形成した情報部を設けてなる。
そして、カレンダー本体、月表示部、日表示部、日付部、情報部を色付あるいは透明な自己粘着性樹脂で形成してなる。
【考案の効果】
【０００８】以下に、本考案の効果を述べる。
１）、１月から１２月までの１２枚のカレンダー本体の１日から３１日の日付部を袋状（折畳み）に形成することにより、必要日により多くの情報を入れることができる。
２）、情報部を袋状（折畳み）に形成することにより、多くの情報をストックできる。
３）、カレンダー本体、日付部、情報部を紙で形成することにより、通常のカレンダーと同様に使用できる。
４）、１枚のカレンダー本体に、着脱自在に取り付ける月表示部、日表示部を設けることにより、１枚のカレンダー本体にて長期間使用できる。
５）、透明な自己粘着性樹脂を使用することにより中身も見え、忘れることを防止できる。
【考案の実施するための最良の形態】
【０００９】  １は、生活情報カレンダーである。
２は、１月から１２月まで表示してなる１２枚のカレンダー本体である。
３は、上記カレンダー本体２の１日から３１日を表示した折畳み袋状３ａに形成した日付部である。
４は、上記カレンダー本体２の下部に設けてなる情報部で、上記同様折畳み袋状４ａに形成してなるものである。
【００１０】  つぎに、上記生活情報カレンダー１の使用例について、下記に述べる。
例えば、必要な日の日付部３に、上面の口を開いて生活情報を入れるもので、○月○日に薬Ｋを入れ、○月○日にコンサートチケットＫＴを入れ、○月○日に本代Ｈを入れるものである。（同一日付部３に複数入れることも可能）
また、情報部４には、各家庭や事務所によってタイトルを変更できるものとし、例えば、家賃・ローン・光熱費等を予め入れておくものである。
【００１１】  つづいて、他の実施例を説明する。
生活情報カレンダー２１は、色付あるいは透明な自己粘着性樹脂（例えば塩化ビニール等）による１枚のカレンダー本体２２に、１から１２の月を表示する月表示部２３を設け、使用しない月表示部２３ａは、ポケットＰ内に入れると共に、上記と同様な日付部２４の上面に、１から３１の日を表示する日表示部２４ａを着脱自在に設けてなるものである。
【００１２】  この生活情報カレンダー２１は、月が変わる毎に貼り変え、かつ日が変わる毎に貼り変えることができるものである。
【００１３】  上記各実施例において、カレンダー本体の大きさや日付部、情報部の大きさ等や形状は必要に応じて決めればよい。
また、自己粘着性樹脂のみならず、着脱自在できる形態であれば、他の形態でもよい。
【図面の簡単な説明】
【００１３】
【図１】  本考案の第一実施形態を示す生活情報カレンダーの正面図。
【図２】  本考案の第一実施形態を示す生活情報カレンダーの要部の平面図。
【図３】  本考案の第一実施形態を示す生活情報カレンダーの使用状態を示す要部の側面図。
【図４】  本考案の第二実施形態を示す生活情報カレンダーの正面図。
【図５】  本考案の第二実施形態を示す生活情報カレンダーの要部の側面図。
【符号の説明】
【００１４】１−−−生活情報カレンダー
２−−−本体
３−−−日付部
３ａ−−折畳み袋状
４−−−情報部
４ａ−−折畳み袋状
Ｋ−−−薬
ＫＴ−−コンサートチケット
Ｈ−−−本代
Ｐ−−−ポケット
【図１】
0003117008.tif 000003
【図２】
0003117008.tif 000004
【図３】
0003117008.tif 000005
【図４】
0003117008.tif 000006
【図５】
0003117008.tif 000007